(57)【特許請求の範囲】
【請求項１】
光源と、前記光源の発光を伝達する第１の導光体と、が設けられた第１の部材と、
受光部と、前記受光部からの発光を伝達する第２の導光体と、が設けられた第２の部材と、を有し、
前記第１の部材は、前記光源の発光を外部に射出する第１の発光部を有し、前記第１の発光部は、前記第１の導光体によって伝達された光を射出し、
前記第２の部材は、前記受光部において、前記第１の発光部からの光を受光し、前記第２の導光体によって、前記受光部からの光を外部に射出する第２の発光部を有し、
前記第１の発光部と前記受光部とを組み合わせることにより関節部が形成され、
前記第１の発光部を前記受光部から外し、前記第２の部材を前記第１の導光体から分割することができ、
前記第１の発光部は、ボール形状であり、前記受光部は、前記ボール形状を受ける内室形状であり、前記第１の発光部と前記受光部とを接合することにより、ボールジョイント関節が完成する人形体。
【請求項２】
請求項１において、
前記第１の発光部と前記受光部は、前記第１の部材と前記第２の部材とが相対的に回転可能となるように接合されている人形体。
【請求項３】
請求項１または請求項２において、
前記第１の部材は、前記光源からの発光を外部に射出する第３の発光部を有し、前記光源と前記第３の発光部との間に、前記光源の光を反射させる反射材が設けられている人形体。
【請求項４】
請求項１乃至請求項３のいずれか一項において、
前記第１の部材は、人形体の胴体部であり、前記第２の部材は、人形体の頭部である人形体。
【発明の詳細な説明】
【技術分野】
【０００１】
本発明は、人形体に関するものである。
【背景技術】
【０００２】
従来より、人形体の顔の頬などの一部を内側から照らして透過させることにより光らせることが行われている（例えば、特許文献１参照）。図６に示すように、人形体１００は、胴体部１０１および頭部１０２を有しており、内部が中空になっている。胴体部１０１の内部には、ＬＥＤ（発光ダイオード）光源１０３が配置されている。ＬＥＤ光源１０３の照射方向である上方には、導光体１０４が配置されており、首部１０５を通って頭部１０２に伸びている。導光体１０４のＬＥＤ光源１０３側端部はＬＥＤ光源１０３に対向し、頭部１０２側の端部は左右に分岐させて二股部１０６が形成されている。そして、二股部１０６の先端は、顔部の頬部１０７に臨むように配置されており、二股部１０６の先端面から発光して頬部１０７をほんのりと明るくする。
【先行技術文献】
【特許文献】
【０００３】
【特許文献１】実用新案登録３０６９３５０号公報
【発明の概要】
【発明が解決しようとする課題】
【０００４】
前述したような従来の人形体１００においては、頭部１０２を回転させた際に、同じ位置の頬部１０７を発光させるために、導光体１０４が頭部１０２とともに回転できるようにしている。しかしながら、導光体１０４が一体であるため、導光体１０４はＬＥＤ光源１０３から照射方向に伸びる１本の軸周りの回転しかできないという問題があった。
【０００５】
そこで、本発明は、上記の問題を鑑みてなされたものであり、表面に設けられて光を外部に向かって照射する発光部の移動の自由度を増すことができる人形体を提供することを目的とする。
【課題を解決するための手段】
【０００６】
本発明の人形体は、光源と、光源の発光を伝達する第１の導光体と、が設けられた第１の部材と、受光部と、受光部からの発光を伝達する第２の導光体と、が設けられた第２の部材と、を有し、第１の部材は、光源の発光を外部に射出する第１の発光部を有し、第１の発光部は、第１の導光体によって伝達された光を射出し、第２の部材は、受光部において、第１の発光部からの光を受光し、第２の導光体によって、受光部からの光を外部に射出する第２の発光部を有し、第１の発光部と受光部とを組み合わせることにより関節部が形成され、第１の発光部を受光部から外し、第２の部材を前記第１の導光体から分割することができ、前記第１の発光部は、ボール形状であり、前記受光部は、前記ボール形状を受ける内室形状であり、前記第１の発光部と前記受光部とを接合することにより、ボールジョイント関節が完成する。
【０００７】
本発明の人形体に、第１の発光部と受光部は、第１の部材と第２の部材とが相対的に回転可能となるように接合されていることが好ましい。また、第１の部材は、光源の発光を外部に射出する第３の発光部を有し、光源と第３の発光部との間に、光源の光を反射させる反射材が設けられていることが好ましい。また、第１の部材は、人形体の胴体部であり、第２の部材は、人形体の頭部であることが好ましい。
【発明の効果】
【０００８】
本発明に係る人形体によれば、発光部が設けられている部位の移動に伴う発光部の移動の自由度を増すことができる人形体を提供することができる。
【図面の簡単な説明】
【０００９】
【図１】本発明にかかる実施形態の人形体の上体の正面図である。
【図２】図１中ＩＩ−ＩＩ位置の断面図である。
【図３】（Ａ）は導光体の側面図であり、（Ｂ）は導光体の頭部ブロックの斜視図である。
【図４】導光体関節部の構成図である。
【図５】図１中Ｖ−Ｖ位置の断面図である。
【図６】従来の人形体の断面図である。
【発明を実施するための形態】
【００１０】
以下、本発明に係る好適な実施の形態について、図面を参照しながら詳細に説明する。図１に示すように、本発明にかかる実施形態の人形体１０は、図示省略の脚部の上に取り付けられる胴体部２０および関節である首部２４を介して胴体部２０の上に取り付けられる頭部３０を有する。なお、胴体部２０の左右両肩には腕取付部２１が設けられており、腕（図示省略）が回転可能に取り付けられる。図１および図２に示すように、胴体部２０の前面２０１中央には、胴体部発光部２２が設けられている。また、頭部３０における左右一対の目には、頭部発光部３１、３１が設けられている。
【００１１】
図２および図３に示すように、胴体部２０内部の後部には、ＬＥＤ光源４１が前上方に向かって斜めに設けられている。ＬＥＤ光源４１の前面は半球状に形成されており、ＬＥＤ光源４１の前方には受光部である拡散ブロック４２が設けられている。拡散ブロック４２は透明な樹脂で構成されており、ＬＥＤ光源４１側面は、凹状球面に形成されている。従って、拡散ブロック４２は、ＬＥＤ光源４１からの光を受光して、拡散ブロック４２内に拡散する。
【００１２】
図２に示すように、拡散ブロック４２の前側には、リフレクタ２３が設けられており、リフレクタ２３の前面に胴体部発光部２２が取り付けられる。リフレクタ２３は、例えば、光を反射する反射部材を、反射面を内側にして筒状に形成することにより、光漏れを防止するように構成することができる。このとき、リフレクタ２３のＬＥＤ光源４１側端部には傾斜面２３１を設け、傾斜面２３１が光を反射するように加工することにより、ＬＥＤ光源４１からの光を効率的にリフレクタ２３に導くことができる。
【００１３】
また、胴体部発光部２２は、リフレクタ２３に対応した形状の拡散レンズ２２１をリフレクタ２３の前面に取り付けて構成される。拡散レンズ２２１は透明な樹脂で形成されており、種々の模様等を設けることができる。また、拡散レンズ２２１を着色された透明な樹脂で形成することにより、種々の色に発光させることができる。
【００１４】
従って、ＬＥＤ光源４１から出射された光は拡散ブロック４２で拡散され、光の一部はリフレクタ２３の内部空間を通って拡散レンズ２２１に入射して胴体部発光部２２を発光させる。このとき、拡散ブロック４２からリフレクタ２３の内面に向かって照射された光は、内面の反射面により反射されて、胴体部発光部２２の拡散レンズ２２１に達し、拡散レンズ２２１が発光する。
【００１５】
拡散ブロック４２の上部には、ＬＥＤ光源４１からの光を発光部である頭部発光部３１に伝達する導光体５０が設けられている。図３（Ａ）に示すように、導光体５０は、「く」の字形状に屈折した導光体本体（パーツ）５１と、導光体本体５１に組み付けられる頭部ブロック（パーツ）５２を有する。導光体本体５１および頭部ブロック５２は、透明な樹脂で形成されている。
【００１６】
頭部ブロック５２は、導光体関節部５３（図４参照）を介して導光体本体５１の上端面に連結されており、頭部３０を首部２４を中心として胴体部２０に対して相対的に回転させることにより、頭部ブロック５２が導光体本体５１に対して相対的に回転する。
【００１７】
図４に示すように、導光体関節部５３は、導光体本体５１の上端に一体的に設けられているボール部５１１を、頭部ブロック５２に設けられている内室５２１に収容して、ボールジョイントを構成する。これにより、頭部ブロック５２は導光体本体５１に対して回転可能となるとともに、導光体本体５１を通ってきた光が、ボール部５１１から出射されて、内室５２１により受光され頭部ブロック５２内に広がる。なお、ボール部５１１を内室５２１から外すことにより、頭部ブロック５２を導光体本体５１から分割することができる。
【００１８】
図３（Ａ）に示すように、頭部ブロック５２には、頭部発光部３１が着脱可能に取り付けられる。図３（Ｂ）にも示すように、頭部ブロック５２は、所定間隔離れて平行に一対の連結部５２３、５２３を有しており、両連結部５２３、５２３の間に頭部発光部３１を支持する。図３（Ａ）に示すように、頭部発光部３１は透明な樹脂で形成されており、頭部ブロック５２に支持されて、背面３１３が頭部ブロック５２の前面５２４に接触する。これにより、頭部ブロック５２から光を伝達されて、頭部発光部３１全体が発光する。
【００１９】
頭部発光部３１は、一対の凸部３１２，３１２を有する。凸部３１２の先端面３１１は、人形体１０の目として顔の表面に露出する。従って、頭部発光部３１の凸部３１２の先端面３１１は、人形体１０の目として顔の表面で発光する。なお、頭部発光部３１を着色した透明樹脂で形成することができ、目（先端面３１１）から発する光の色を選択することができる。
【００２０】
従って、図３（Ａ）中、矢印で示すように、ＬＥＤ光源４１から発せられた光の一部は、拡散ブロック４２（図２参照）を介して導光体本体５１内部に導かれてボール部５１１（図４参照）に至る。図５には、ボール部５１１からが発せられた光が頭部ブロック５２の受光部で受光されて、頭部発光部３１に導光される状態（図５中矢印参照）が示されている。すなわち、ボール部５１１から発せられた光を、頭部ブロック５２の内室５２１が受光して（図４参照）、頭部ブロック５２内部に広げる。そして、頭部ブロック５２の前面５２４から頭部発光部３１の背面３１３に伝達して、頭部発光部３１を発光させる。なお、頭部ブロック５２に反射面５２２を設けて、光を頭部発光部３１側へ屈折させるようにするのが望ましい。これにより、効率よく光を伝達することができる。
【００２１】
以上、説明した本発明にかかる実施形態の人形体１０によれば、１個のＬＥＤ光源４１から発せられた光は、導光体５０を介してあるいは直接、人形体１０の複数の箇所に設けた発光部２２，３１から出射される。ここでは、ＬＥＤ光源４１から発せられた光の一部は、導光体５０を介して頭部発光部３１から出射される。また、ＬＥＤ光源４１から発せられた光の一部は、リフレクタ２３を通って直接胴体部発光部２２から出射される。このとき、ＬＥＤ光源４１を収容する胴体部２０と、頭部発光部３１を収容する頭部３０との間には関節である首部２４が設けられており、導光体５０において首部２４に対応する位置に導光体関節部５３を設けた。このため、頭部発光部３１が設けられている頭部３０の回転を許容することができ、頭部発光部３１の移動の自由度を増すことができる。なお、リフレクタ２３の表面には、ＬＥＤの光を効率的に発光させて胴体部発光部２２から出射するために、ＬＥＤ光を反射させる反射材が設けられていてもよい。
【００２２】
また、ＬＥＤ光源４１の照射方向前方に位置する胴体部２０の前面に設けられている胴体部発光部２２は、導光体を介することなく、ＬＥＤ光源４１からの光を直接受けることにより発光するので、効率よく発光することができる。
【００２３】
また、導光体５０が、複数のパーツである導光体本体５１および頭部ブロック５２等に分割可能であるので、導光体５０の各パーツを、人形体１０を構成する各パーツに予め収容しておいて、人形体１０を組み立てることにより導光体５０を組み立てることができる。これにより、人形体１０の組み立て作業性が向上する。
【００２４】
さらに、導光体関節部５３のボールジョイントを構成するボール部５１１および内室５２１を介してＬＥＤ光源４１からの光を伝達するので、回転可能に連結できるとともに、効率よく頭部発光部３１に光を伝達することができる。
【００２５】
以上、本発明の好ましい実施例について詳述したが、本発明に係る人形体１０は、上述した実施形態に限定されるものではなく、特許請求の範囲に記載された本発明の要旨の範囲内において、種々の変形、変化が可能である。すなわち、前述した実施形態では、発光部として胴体部２０の前面２０１中央部の胴体部発光部２２および頭部発光部３１として目（先端面３１１）を例示したが、これに限らず、種々の場所に設けることができる。例えば、図２に示すように、後頭部に光を導く頭部ブロック５４を設けて、後頭部発光部３２を設けることも可能である。あるいは、図２に示すように、頭部ブロック５２を上方へ延長して、頭部発光部３１の上部延長部３１４の背面に接触させて、上部延長部３１４を発光させるようにすることができる。
【符号の説明】
【００２６】
１０  人形体
２０１  胴体部前面
２２  胴体部発光部（発光部）
２４  首部（関節）
３０  頭部
３１  頭部発光部（発光部）
４１  ＬＥＤ光源
４２  拡散ブロック（受光部）
５０  導光体
５１  導光体本体（パーツ）
５１１  ボール部（ボールジョイント）
５２  頭部ブロック（パーツ）
５２１  内室（ボールジョイント）
５３  導光体関節部
【図１】
0005807000.tif 000002
【図３】
0005807000.tif 000003
【図４】
0005807000.tif 000004
【図５】
0005807000.tif 000005
【図６】
0005807000.tif 000006
【図２】
0005807000.tif 000007